(57)【要約】【課題】自動火災報知設備のリニューアル現場にて、既存の表示線の終端抵抗器の抵抗値に適合するための調整を、火災受信機側で簡単に行えるようにする。【解決手段】表示線Ｌに接続された終端抵抗器ＴＲの抵抗値を入力設定する操作部１１と、設定された抵抗値に基づいて断線閾値を選択する閾値選択部１２と、表示線Ｌの電圧レベルを監視し、表示線Ｌの電圧レベルが選択されている断線閾値を超えていれば断線異常を報知する制御監視部１３とを備える。【選択図】図１
2015114890.tif 000002
【特許請求の範囲】
【請求項１】
感知器の接続された表示線の電圧レベルを監視して火災報知する火災受信機において、
表示線に接続された終端抵抗器の抵抗値を入力設定する操作部と、
設定された抵抗値に基づいて断線閾値を選択する閾値選択部と、
表示線の電圧レベルを監視し、表示線の電圧レベルが選択されている断線閾値を超えていれば断線異常を報知する制御監視部とを備えた火災受信機。
【請求項２】
請求項１において、
前記制御監視部は、表示線の電圧レベルをデジタル変換し、デジタル変換後の値を前記断線閾値と数値比較することを特徴とする火災受信機。
【請求項３】
請求項２において、
前記閾値選択部は、予め準備しているデータ表又は関数によって、設定された抵抗値に対する断線閾値を選択することを特徴とする火災受信機。
【請求項４】
感知器及び終端抵抗器の接続された表示線を、請求項１−３のいずれか１項に記載された火災受信機に結線してなることを特徴とする自動火災報知設備。
【発明の詳細な説明】
【技術分野】
【０００１】
本発明は、感知器の接続された表示線の電圧レベルを監視して火災報知する火災受信機及び自動火災報知設備に関する。
【背景技術】
【０００２】
従来、前記のような火災受信機（いわゆるＰ型受信機）では、自己診断機能として、終端抵抗器によって閉ループを形成した表示線に電源を供給し、その表示線の電圧レベルを断線閾値と比較して断線異常を検出する機能が組み込まれている。しかしながら終端抵抗器の抵抗値は、火災受信機の機種毎に独自に定められているのが現状である。そのため、自動火災報知設備のリニューアルにおいて、表示線は継続使用し、火災受信機をリプレースしようとする場合、既存の表示線の終端抵抗器を、リプレース後の火災受信機に適合するものに交換する必要があり手間がかかっていた。
【０００３】
そのような問題に関する先行技術の例として、例えば次の特許文献１や２を挙げることができる。すなわち特許文献１は、終端抵抗器に適合するように、断線検出回路の作動点を可変抵抗によって調節可能とする構成を教示する。特許文献２は、表示線に検出抵抗を接続し、この検出抵抗に生じる電圧と基準電圧とを比較して表示線の断線、短絡を検出する構成において、その基準電圧を調整抵抗によって変更可能にすることを教示する。
【先行技術文献】
【特許文献】
【０００４】
【特許文献１】実開昭61-115289号公報
【特許文献２】特開2005-044305号公報
【発明の概要】
【発明が解決しようとする課題】
【０００５】
前記のようなリニューアルにおいて、新規な火災受信機に特許文献１又は２の教示する技術を採用すれば、既存の表示線の終端抵抗器に合わせて受信機側を調節することにより、終端抵抗器を交換しなくても済むようになる。しかしながら、特許文献１、２のいずれも可変抵抗あるいは調整抵抗の調整によって作動点あるいは基準電圧を変更する構成とされている。そのような調整は不慣れな者では困難な場合もあるから、その改善が強く望まれる。本発明は、そのような要望の下に考案されたものであり、リニューアル現場にて、既存の表示線に接続されている終端抵抗器の抵抗値に適合するための調整を、火災受信機側で簡単に行えるようにすることを目的としている。
【課題を解決するための手段】
【０００６】
本発明による火災受信機は、感知器の接続された表示線の電圧レベルを監視して火災報知する火災受信機において、表示線に接続された終端抵抗器の抵抗値を入力設定する操作部と、設定された抵抗値に基づいて断線閾値を選択する閾値選択部と、表示線の電圧レベルを監視し、表示線の電圧レベルが選択されている断線閾値を超えていれば断線異常を報知する制御監視部とを備えることを特徴とする。
【０００７】
前記制御監視部は、表示線の電圧レベルをデジタル変換し、デジタル変換後の値を前記断線閾値と数値比較するようにしてもよい。
【０００８】
前記閾値選択部は、予め準備しているデータ表又は関数によって、設定された抵抗値に対する断線閾値を選択するようにしてもよい。
【０００９】
また本発明による自動火災報知設備は、感知器及び終端抵抗器の接続された表示線を、前記火災受信機に結線してなる。
【発明の効果】
【００１０】
本発明では、操作部で終端抵抗の抵抗値を入力設定するだけで、適切な断線閾値が自動的に選択される構成としているので、自動火災報知設備に不慣れな者でも、既存の表示線の終端抵抗器に合わせて火災受信機を簡単に調節、初期設定できる。
【図面の簡単な説明】
【００１１】
【図１】本発明の実施形態の一例とされる火災受信機の要部構成を示す概略回路図である。
【図２】前記火災受信機による自動火災報知設備の概略構成図である。
【図３】閾値選択部に予め準備されているデータ表の一例である。
【図４】前記火災受信機の基本動作の一例を示すフローチャートである。
【発明を実施するための形態】
【００１２】
以下、本発明の実施形態の一例を、図面を参照しながら説明する。本発明に係る火災受信機は、感知器の接続された表示線の電圧レベルを監視して火災報知する、いわゆるＰ型受信機を想定している。したがって、従来同様に、終端抵抗器によって閉ループを形成した表示線に電源を供給し、その表示線の電圧レベルを断線閾値と比較して断線異常を検出する機能を有する。
【００１３】
本発明は、そのような火災受信機を用いた自動火災報知設備のリニューアルにおいて、火災受信機はリプレースするが、既存の表示線はそのまま使うといった場合に、その表示線の終端抵抗器に合わせて火災受信機を簡単に調節できるようにすることを意図している。
【００１４】
図１は、実施形態の一例とされる火災受信機における本発明の関連部分のみを示す概略回路図である。この火災受信機１０は、表示線Ｌに接続された終端抵抗器ＴＲの抵抗値を入力設定する操作部１１と、設定された抵抗値に基づいて断線閾値を選択する閾値選択部１２とを備える。制御監視部１３は、表示線Ｌの各々への電源供給を制御し、かつ表示線Ｌの電圧レベルを監視して、火災の発生時には主音声や地区表示によって警報報知する構成要素である。また自己診断として、制御監視部１３は、表示線Ｌの電圧レベルを監視し、表示線Ｌの電圧レベルが選択されている断線閾値を超えていれば断線異常を報知するようになっている。
【００１５】
火災受信機１０は、複数の表示線端子ＬＴと、１つの共通線端子ＣＴを備えている。表示線端子ＬＴには表示線Ｌが結線され、共通線端子ＣＴには共通線Ｃ（アース線）が結線される。複数の感知器Ｓが表示線Ｌと共通線Ｃとの間に並列接続され、終端抵抗器ＴＲが表示線Ｌの終端部分と共通線Ｃとの間に接続される。
【００１６】
火災受信機１０は、表示線Ｌに電源を供給する電源回路１４を備えており、電源回路１４から表示線端子ＬＴに至る給電路の途中に制御素子Ｑ及び抵抗器Ｒが設けられている。制御監視部１３による表示線Ｌへの電源供給の制御は、制御素子Ｑをオン／オフすることに行われる。
【００１７】
なおこのような電源制御が必要とされるのは、感知器の基本仕様として、発報をリセットするのに電源を一時的に遮断しなければならないためである。すなわち感知器Ｃは表示線Ｌから電源を受けて作動し、火災感知したときには、表示線Ｌと共通線Ｃとを導通させて発報し、電源オフによって、その発報がリセットされるようになっている。
【００１８】
操作部１１の構成は特に限定されないが、終端抵抗器ＴＲの抵抗値が簡単な操作で入力設定できるようにする。例えば抵抗値の選択肢を用意しておき、そこから既存の表示線Ｌの終端抵抗器ＴＲの抵抗値に合致するものを選択するようにしてもよいし、抵抗値の数値情報を入力するようにしてもよい。ここで入力設定された抵抗値は図示しない不揮発性メモリ等に保存するとよい。
【００１９】
閾値選択部１２は、予め準備しているデータ表又は関数によって、設定された抵抗値に対する断線閾値を選択する。つまり操作部１１において抵抗値の選択肢から一つを選択するのであれば、閾値選択部１２には、選択肢とされた各抵抗値に適した断線閾値を定めたデータ表を準備しておくとよい。このようなデータ表を準備しておけば、簡単な処理で、選択された抵抗値に対して適切な断線閾値が選択できる。これに対して、操作部１１において抵抗値の数値情報を入力するのであれば、閾値選択部１２には、入力された抵抗値に対して適切な断線閾値を出力する関数を準備しておくとよい。そうすれば、どのような値の抵抗値に対しても適切な断線閾値が算出できる。
【００２０】
図２に、閾値選択部に準備されるデータ表の一例を示す。このデータ表Ｄは、操作部１１における抵抗値の選択肢として、２ｋΩ、３ｋΩ、４ｋΩ、５ｋΩ、７．５ｋΩ、１０ｋΩを想定しており、それぞれの抵抗値に対して適切な断線閾値、２２．６Ｖ、２３．０Ｖ、２３．２Ｖ、２３.４Ｖ、２３.５Ｖ、２３．６Ｖを対応させている。なお選択肢の数、抵抗値の数値、断線閾値の数値はあくまで例として示しているに過ぎず、特に、断線閾値の数値は、電源回路１４の出力電圧や抵抗器Ｒの抵抗値等を考慮して決定すべきものである。
【００２１】
表示線Ｌは、抵抗器Ｒ及びＡ／Ｄ変換器１５を介して制御監視部１３に接続されている。この場合、表示線Ｌの電圧レベルがそのままＡ／Ｄ変換器１５に入力されることになる。もしも電源回路１４の出力電圧がＡ／Ｄ変換器１５にとって高過ぎるのであれば、表示線Ｌの電圧レベルを、２つの抵抗器によって適宜分圧する等して降圧してから、Ａ／Ｄ変換器１５に入力するようにするとよい。
【００２２】
制御監視部１３は、Ａ／Ｄ変換器１５によって表示線Ｌの電圧レベルをデジタル変換し、デジタル変換後の値を断線閾値と数値比較する。すなわち、制御監視部１３は、定期的に、Ａ／Ｄ変換された後の表示線Ｌの電圧レベルを、操作部１１で入力設定された抵抗値に基づいて閾値選択部１２が選択した断線閾値と比較して、電圧レベルが断線閾値以上であれば断線異常と判断して報知する。このような構成とすれば、電圧レベルと閾値との比較は数値処理となってマイコン等で実行できるので、回路構成が簡単になる。
【００２３】
制御監視部１３は、火災の判定も前記と同様の方法、すなわち定期的に、Ａ／Ｄ変換された後の表示線Ｌの電圧レベルを、所定の火災閾値と比較して、電圧レベルが火災閾値以下であれば火災を判断するようにしてもよい。断線異常を判断する動作と、火災を判断する動作とを同期させる必要はないが、同期させておくと全体の制御動作が簡潔になる。
【００２４】
以上のように本発明では、操作部１１で終端抵抗の抵抗値を入力設定するだけで、適切な断線閾値が自動的に選択される構成としているので、自動火災報知設備に不慣れな者でも、既存の表示線Ｌの終端抵抗器ＴＲに合わせて火災受信機１０を簡単に調節、初期設定できる。
【００２５】
図３は、実施形態の一例とされる火災受信機の正面図であり、更に、図中に表示線や各種連動機器を示すことで、この火災受信機を用いて構成される自動火災報知設備の概略構成も示している。
【００２６】
火災受信機１０は、筐体の正面上部に、電源の状態、警戒状態、トラブル発生を報知する状態ランプ１６ａが設けられ、その下に、液晶パネルで構成された表示窓１６ｂと、火災ランプと、報知機ランプ等の緊急ランプ１６ｃとが設けられている。更にその下には、受信機音響停止キー、地区ベル停止キー、解除キー、復旧キー等の主操作キー１１ａが設けられている。更にその下には、表示線Ｌに接続された終端抵抗器ＴＲの抵抗値を入力設定したり、連動関係を設定したり、試験を実施したりするための副操作キー１１ｂが設けられている。副操作キー１１ｂは誤操作されないよう保護パネル１７で隠されるようになっている。筐体の背面部には、表示線Ｌ等の導入口（図示なし）が設けられる。
【００２７】
表示窓１６ｂは、初期設定では、ガイド画面等を表示して、終端抵抗器ＴＲの抵抗値を入力設定等を案内するが、警戒状態あるいは警報状態では主に地区表示を行う。
【００２８】
感知器Ｓ及び終端抵抗器ＴＲの接続された複数系統の表示線Ｌ、地区ベルＢの接続されたベル線ＢＬ、表示灯Ｕの接続された表示灯線ＵＬが、消火栓駆動装置２０への移報線ＨＬ、誘導灯点灯装置３０への移報線ＦＬが、火災受信機１０に結線される。なお発信機Ｐは表示線Ｌのみでなく、発信機応答線ＡＬにも接続されている。ここに、表示線Ｌ、ベル線ＢＬ、表示灯線ＵＬは、有電圧信号線であり、それらの信号線Ｌ、ＢＬ、ＵＬに接続可能な感知器Ｓ、地区ベルＢ、表示灯Ｕの個数には制限がある。一方、移報線ＨＬ、ＦＬはいずれも無電圧信号線である。
【００２９】
次いで、自動火災報知設備の基本的な動作を説明する。
【００３０】
火災受信機１０の初期設定では、防災係員は、表示窓に表示されるガイド画面に従って、表示線Ｌ毎の使用／不使用、表示線Ｌと連動機器との連動関係等の設定、更に、前記のような終端抵抗器ＴＲの抵抗値の設定を行う。
【００３１】
その後の警戒状態では、火災受信機１０は、表示線Ｌに電源を供給しつつ、その電圧レベルを火災閾値及び断線閾値と比較することによって、発報及び断線異常を監視する。火災によっていずれかの感知器Ｓが作動して表示線Ｌを短絡させると、火災受信機１０は、それを検出して蓄積処理を開始する。この時点で、地区表示中の対応した箇所は蓄積中に変更される。なお蓄積処理は、所定時間、発報した表示線Ｌの電源を遮断して再度発報する動作を繰り返すことで発報を蓄積する処理である。
【００３２】
そこで発報が一定量蓄積された場合、火災受信機１０は火災を判断して、火災ランプを点灯し、地区表示の対応箇所を火災中に変更する。更に火災受信機１０は、「ピーピー、感知器が作動しました。現場を確認してください」等の主音声を開始し、連動設定されているベル線ＢＬ等を駆動する。これによって、地区鳴動等が行われる。
【００３３】
なお発信機Ｐが操作された場合は、火災受信機１０は、蓄積処理をすることなしに直ちに火災を判断して同様の火災警報を行うが、このときは報知機ランプも点灯する。
【００３４】
防災係員は、受信機音響停止キーや地区ベル停止キー等を操作し、現場を確認する。それらの操作を受けて、火災受信機１０は、主音声や地区鳴動を停止する。防災係員は、誤報を確認すれば、復旧キーを操作する。これを受けて火災受信機１０は、火災ランプや地区表示を元に戻すとともに、発報した表示線Ｌの電源を所定時間遮断して感知器Ｓをリセットさせる。
【００３５】
一方、火災を判断してから所定時間が経過するまでに、復旧キーが操作されないときは、火災受信機１０は、一時停止していた主音声や地区鳴動を再開する。時間経過による連動関係が設定されていれば、火災受信機１０はこのとき、消火栓駆動装置２０、誘導灯点灯装置３０等を作動させる。
【００３６】
防災係員は、火災確認、１１９番通報、避難誘導等を行い、その後消火を確認してから、復旧キーを操作する。これを受けて火災受信機１０は、主音声や地区音声を中止して、火災ランプや地区表示を元に戻し、発報した表示線Ｌの電源を所定時間遮断して感知器Ｓをリセットさせる。
【００３７】
また火災受信機１０は、警戒状態で表示線Ｌの断線異常を検出した場合は、トラブル発生を報知する状態ランプ１６ａを点灯し、地区表示の対応箇所を断線異常に変更する。また「ピーピー、表示線の断線異常を検出しました。現場を確認してください」等の主音声を出力する。防災係員が表示線Ｌの断線を修繕すれば、火災受信機１０は、それを検出して断線異常の報知を自動的に中止する。
【００３８】
図４は、前記の基本動作の要点をまとめたフローチャートである。
【００３９】
ステップ１００、１０１は、火災受信機の初期設定に関する処理であり、ステップ１０では、表示線に接続された終端抵抗器の抵抗値の入力設定を受け付けて、ステップ１０１では、設定された抵抗値に基づいて断線閾値を選択している。
【００４０】
ステップ１０２−１０６は、警戒状態及び警報状態における処理である。ステップ１０２では、表示線の電圧レベルを検出している。ステップ１０２では、検出した電圧レベルを断線閾値と比較し、ステップ１０３では、その比較結果に基づいて断線異常を報知している。ステップ１０４では、検出した電圧レベルを火災閾値と比較し、ステップ１０６では、その比較結果に基づいて火災警報をしている。ステップ１０２−１０６は、警戒状態及び警報状態である限り、繰り返し実行される。
【符号の説明】
【００４１】
１      自動火災報知設備
１０    火災受信機
１１    操作部
１２    閾値選択部
１３    制御監視部
Ｄ      データ表
Ｌ      表示線
ＴＲ    終端抵抗器
【図１】
2015114890.tif 000003
【図２】
2015114890.tif 000004
【図３】
2015114890.tif 000005
【図４】
2015114890.tif 000006